【事件の表示】
　特願２００８−２３８９０２「ストロボ付き撮像装置及びストロボ付き撮像装置の露出制御方法」拒絶査定不服審判事件〔平成２２年　４月　２日出願公開、特開２０１０−　７２２６７〕について、次のとおり審決する。
【結　論】
　本件審判の請求は、成り立たない。
【理　由】
１　手続の経緯・本願発明
（１）手続の経緯
　本願は、平成２０年９月１８日の出願であって、平成２３年９月１２日、平成２５年３月２８日に手続補正がなされ、同年８月１日付けで拒絶査定がなされ、これに対して、同年１０月３０日に拒絶査定不服審判が請求されると同時に手続補正がなされ、当審において、平成２６年７月２２日付けで拒絶の理由（以下「当審拒絶理由」という。）が通知され、同年９月９日に手続補正がなされたものである。
　なお、請求人は、当審拒絶理由に対して平成２６年９月９日に意見書を提出している。
　
（２）本願発明
　本願の請求項１に係る発明は、平成２６年９月９日付け手続補正によって補正された特許請求の範囲の請求項１に記載の事項により特定されるものであるところ、請求項１に係る発明は、その特許請求の範囲の請求項１に記載されたとおりの次のものであると認める。
　
「撮影の際の適正露出を測定する適正露出測定ステップと、
　ストロボ撮影を行う場合は必ず前記適正露出測定ステップにより測定した適正露出よりマイナス側の露出補正を行なう露出補正ステップと、を含み、
　前記露出補正ステップはシャッタ速度を変更することによって成され、その変更後のシャッタ速度が１／８秒を下回らないように制限することを特徴とするストロボ付き撮像装置の露出制御方法。」（以下「本願発明」という。）
　
２　当審拒絶理由
　当審拒絶理由は概ね次のとおりである。
　
「本件出願の請求項１〜６に係る発明は、その出願前に日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
引用文献．特開２００１−３５６３８３号公報」
　
　
３　刊行物の記載事項
　当審拒絶理由で引用文献として引用した「本願の出願前に頒布された刊行物である特開２００１−３５６３８３号公報（以下「引用例」という。）」には、次の事項が記載されている（下線は審決で付した。）。
　
（１）「【特許請求の範囲】
【請求項１】
閃光撮影時は、手ブレを防止できる限界のシャッター速度に対応する第１の被写体輝度以上では、被写体輝度の低下に応じてシャッター速度を決定し、第１の被写体輝度から所定の露出値だけの露出不足となる第２の被写体輝度までは、シャッター速度を前記手ブレ防止の限界シャッター速度に固定し、第２の被写体輝度以下では被写体輝度の低下に応じてシャッター速度を遅くする
閃光撮影可能なカメラ
【請求項２】請求項１に記載の閃光撮影可能なカメラにおいて、
前記手ブレ防止の限界シャッター速度を、撮影レンズの焦点距離に応じて決定することを特徴とする閃光撮影可能なカメラ。
【請求項３】請求項１または請求項２に記載の閃光撮影可能なカメラにおいて、
第２の被写体輝度以下では前記所定の露出値だけ露出不足となる高速のシャッター速度を設定する
【請求項４】請求項１から３のいずれかの項に記載の閃光撮影可能なカメラにおいて、
前記所定の露出値を撮影モードに応じて可変とすることを特徴とする閃光撮影可能なカメラ。
【請求項５】請求項１から３のいずれかの項に記載の閃光撮影可能なカメラにおいて、
前記所定の露出値を任意に可変とすることを特徴とする閃光撮影可能なカメラ。」
　
（２）「【０００１】
【発明の属する技術分野】本発明は、
フラッシュライトを補助照明光として被写体を照明し撮影を行う閃光撮影可能なカメラ
【０００２】
【従来の技術】自然光により照明される被写体が低輝度のときに、フラッシュライトを自動的に発光させて被写体を照明し撮影を行うカメラが知られている。この種のカメラでは、低輝度時のフラッシュ撮影にはシャッター速度を比較的速い速度に固定し、手ブレによる画質の低下を防止している。
【０００３】
【発明が解決しようとする課題】ところが、上述したカメラでは、
夜景を背景にして人物などの撮影を行うと、人物はフラッシュライトにより照明されるので適正露出となるが、遠距離の夜景まではフラッシュライトが届かず、またシャッター速度が速い速度に固定されているので、背景が露出不足となり、最悪の場合はまったく写らないことがある
速いシャッター速度に固定せずにいわゆるスローシンクロ撮影を行うと、手ブレのために人物や背景の像が流れてしまうこともある
【０００４】本発明の目的は、
フラッシュライトを補助照明光として撮影行うときに、手ブレを防止しながら背景を写し込む
　
（３）「【０００７】
【発明の実施の形態】本発明を一眼レフレックスカメラに適用した一実施の形態を説明する。図１は一実施の形態の構成を示す。一実施の形態のカメラは、撮影レンズ１、絞り２、クイックリターンミラー３、シャッター４、フィルム５、焦点板６、ペンタプリズム７、測光用レンズ８、測光用受光素子９、フラッシュライト発光部１０、制御装置１１、フラッシュライト制御装置１２などを備えている。
【０００８】
制御装置１１は
測光用受光素子９により測定された被写体輝度に基づいて露出値を演算し、絞り２、シャッター４およびフラッシュライト制御装置１２を制御する
【０００９】図２は、一実施の形態のフラッシュライトによる閃光撮影時の被写体輝度に対するシャッター速度の制御結果を示す。この実施の形態では、被写体の測光結果に基づいて低輝度や逆光条件などが検知されると、自動的にフラッシュライトによる閃光撮影を行う。このときのシャッター速度のプログラム線図は図３に示すものとする。
【００１０】上述したように、従来のフラッシュ撮影可能なカメラでは低輝度下でフラッシュ撮影を行う場合、例えば図２に破線で示すように、被写体輝度Ｂｖに無関係にＴｖ７（１／１２５秒）の高速のシャッター速度に固定するか、あるいは、例えばＴｖ５（１／３０秒）の手ブレを防止できる限界のシャッター速度まで、被写体輝度Ｂｖの低下に応じてシャッター速度Ｔｖを遅くしている。これらの場合には、絞りは最も使用頻度が高い例えばＡｖ５（Ｆ５．６）に固定されている。ところが、低輝度時に高速のシャッター速度に固定してフラッシュ撮影を行うと、手ブレは防止できるが、夜景などの背景が露出不足になって写らなくなることがある。
【００１１】一方、高速のシャッター速度に固定せずに低輝度下でフラッシュ撮影を行う、いわゆるスローシンクロ撮影を行うと、シャッター速度Ｔｖは、図２に細い実線で示すように被写体輝度Ｂｖの低下に応じて遅くなる。このスローシンクロ撮影では、夜景などの背景は写し込めるが、被写体輝度Ｂｖが低くなるほどシャッター速度Ｔｖが遅くなり、手ブレのために人物や背景の像が流れてしまう。
【００１２】そこで、この実施の形態では、低輝度下でフラッシュ撮影を行う場合に、手ブレを防止しながら、しかも夜景などの背景を写し込むことができるように、被写体輝度Ｂｖに応じたシャッター速度Ｔｖを設定する。
【００１３】
具体的には、被写体輝度がＢｖ７（Ｅｖ１２）以上では、シャッター速度をＴｖ７（１／１２５秒）に固定する
【００１４】一方、
被写体輝度がＢｖ７より低くなるにしたがってシャッター速度を遅くする
シャッター速度が手ブレを防止できる限界のシャッター速度、例えばＴｖ５（１／３０秒）になるまでは、
被写体輝度の低下に応じてシャッター速度を遅くする
【００１５】
シャッター速度が手ブレを防止できる限界値Ｔｖ５（１／３０秒）に達したら、それ以上は被写体輝度の低下に応じてシャッター速度を遅くせず、シャッター速度をＴｖ５（１／３０秒）に固定する
【００１６】被写体輝度がＢｖ５まで低下してシャッター速度がＴｖ５（１／３０秒）に達してから、被写体輝度がＢｖ５から所定の露出値、例えば２ＥＶ低下してＢｖ３になるまでは、シャッター速度をＴｖ５（１／３０秒）に固定したままとする。このとき、撮影レンズの絞りをＡｖ５（Ｆ５．６）に固定するので、Ｂｖ３のときはフラッシュライトの届かない背景が２Ｅｖアンダーに露光されることになる。
【００１７】なお、この実施の形態では、手ブレを防止できる限界のシャッター速度を１／３０秒とする例を示すが、シャッター速度の手ブレ防止の限界値を撮影レンズの焦点距離に応じて変化させてもよい。例えば、シャッター速度の手ブレ防止限界値を１／（焦点距離）秒またはその近傍値とする。
【００１８】また、絞りの固定値もＦ５．６に限定されず、撮影レンズの開放Ｆ値に依存させたり、輝度に応じて変化させてもよい。絞りの固定値を変えることによって、シャッター速度が手ブレ防止の限界値１／３０秒に達する被写体輝度もＢｖ５から変化する。
【００１９】
被写体輝度がＢｖ３以下では、被写体輝度の低下に応じてふたたびシャッター速度を低下させ
このとき、背景の適正な露光レベルよりも例えば２Ｅｖだけ露出不足となる高速のシャッター速度とする
【００２０】なお、この実施の形態では、被写体輝度がＢｖ３以下の場合は背景の適正露出よりも２ＥＶだけ露出不足となる高速のシャッター速度とする例を示したが、この露出不足分を撮影モードに応じて可変としてもよいし、撮影者により任意に可変としてもよい。
【００２１】このような低輝度では夜景を背景にしてフラッシュ撮影することが多く、シャッター速度を
１／３０秒に固定した場合よりも夜景を鮮明に写し込むことができる
【００２２】そして、
シャッター速度が１秒となる輝度Ｂｖ−２以下では、シャッター速度を１秒に固定して、シャッターレリーズから最大１秒で撮影を打ち切る
　
（４）「【００２３】図４は、被写体輝度に基づいてシャッター速度Ｔｖと絞りＡｖを決定する処理を示すフローチャートである。このフローチャートにより、一実施の形態の動作を説明する。なお、以下ではアペックス値を用いた露出演算の例を示す。
【００２４】ステップ１において、
測光用受光素子
による測光結果に基づいて輝度Ｂｖを検出する
　
・・・略・・・
　
【００３１】シャッターレリーズボタン（不図示）が操作されて撮影が開始されると、上述した処理ルーチンで決定したシャッター速度Ｔｖと絞りＡｖにより
露出制御
　
（５）上記（１）ないし（４）から、引用例には次の発明が記載されているものと認められる。
「フラッシュライトを補助照明光として被写体を照明し撮影を行う閃光撮影可能なカメラの露出制御方法において、
　従来は、夜景を背景にして人物などの撮影を行うと、人物はフラッシュライトにより照明されるので適正露出となるが、遠距離の夜景まではフラッシュライトが届かず、またシャッター速度が速い速度に固定されているので、背景が露出不足となり、最悪の場合はまったく写らないことがあり、速いシャッター速度に固定せずにいわゆるスローシンクロ撮影を行うと、手ブレのために人物や背景の像が流れてしまうこともあったため、
　フラッシュライトを補助照明光として撮影行うときに、手ブレを防止しながら背景を写し込むことを目的として、
　閃光撮影時は、手ブレを防止できる限界のシャッター速度に対応する第１の被写体輝度以上では、被写体輝度の低下に応じてシャッター速度を決定し、第１の被写体輝度から所定の露出値だけの露出不足となる第２の被写体輝度までは、シャッター速度を前記手ブレ防止の限界シャッター速度に固定し、第２の被写体輝度以下では、被写体輝度の低下に応じてシャッター速度を遅くし、前記所定の露出値だけ露出不足となる高速のシャッター速度を設定することにより、フラッシュライトを補助照明光として撮影行うときに、手ブレを防止しながら背景を写し込むようにした、閃光撮影可能なカメラの露出制御方法であって、
　制御装置１１が、測光用受光素子９により測定された被写体輝度に基づいて露出値を演算し、絞り２、シャッター４およびフラッシュライト制御装置１２を制御するものであり、
　具体的には、測光用受光素子による測光結果に基づいて輝度Ｂｖを検出し、被写体輝度がＢｖ７（Ｅｖ１２）以上では、シャッター速度をＴｖ７（１／１２５秒）に固定し、被写体輝度がＢｖ７より低くなるにしたがってシャッター速度を遅くし、シャッター速度が手ブレを防止できる限界のシャッター速度、例えばＴｖ５（１／３０秒）になるまでは、被写体輝度の低下に応じてシャッター速度を遅くし、シャッター速度が手ブレを防止できる限界値Ｔｖ５（１／３０秒）に達したら、それ以上は被写体輝度の低下に応じてシャッター速度を遅くせず、シャッター速度をＴｖ５（１／３０秒）に固定し、被写体輝度がＢｖ３以下では、被写体輝度の低下に応じてふたたびシャッター速度を低下させ、このとき、背景の適正な露光レベルよりも例えば２Ｅｖだけ露出不足となる高速のシャッター速度とすることにより、１／３０秒に固定した場合よりも夜景を鮮明に写し込むことができ、そして、シャッター速度が１秒となる輝度Ｂｖ−２以下では、シャッター速度を１秒に固定して、シャッターレリーズから最大１秒で撮影を打ち切る、閃光撮影可能なカメラの露出制御方法。」（以下「引用発明」という。）
　
３　対比
　本願発明と引用発明とを対比する。
（１）引用発明の「露出値」、「閃光撮影時」、「露出不足となる高速のシャッター速度を設定」及び「閃光撮影可能なカメラの露出制御方法」は、それぞれ、本願発明の「適正露出」、「ストロボ撮影を行う場合」、「マイナス側の露出補正」及び「ストロボ付き撮像装置の露出制御方法」に相当する。
　
（２）引用発明の「ストロボ付き撮像装置の露出制御方法（閃光撮影可能なカメラの露出制御方法）」は、制御装置１１が、測光用受光素子９により測定された被写体輝度に基づいて「適正露出（露出値）」を演算し、絞り２、シャッター４およびフラッシュライト制御装置１２を制御するものであるから、本願発明の「ストロボ付き撮像装置の露出制御方法」と、「撮影の際の適正露出を測定する適正露出測定ステップ」を含む点で一致する。
　
（３）引用発明の「ストロボ付き撮像装置の露出制御方法（閃光撮影可能なカメラの露出制御方法）」は、「ストロボ撮影を行う場合（閃光撮影時）」においては、第２の被写体輝度以下では、「適正露出（『被写体輝度の低下に応じ』た『シャッター速度』）」より、所定の露出値だけ「マイナス側の露出補正（露出不足となる高速のシャッター速度を設定）」するのであるから、本願発明の「ストロボ付き撮像装置の露出制御方法」と、「ストロボ撮影を行う場合は適正露出測定ステップにより測定した適正露出よりマイナス側の露出補正を行なう露出補正ステップ」を含む点で一致し、該「露出補正ステップ」が「シャッタ速度を変更することによって成され」ている点でも一致する。
　
（４）引用発明において、被写体輝度がＢｖ３以下では、被写体輝度の低下に応じてふたたびシャッター速度を低下させ、このとき、背景の適正な露光レベルよりも例えば２Ｅｖだけ「マイナス側の露出補正（露出不足となる高速のシャッター速度）」とし、そして、シャッター速度が１秒となる輝度Ｂｖ−２以下では、シャッター速度を１秒に固定して、シャッターレリーズから最大１秒で撮影を打ち切るのであるから、引用発明の「露出補正ステップ」と本願発明の「露出補正ステップ」とは、「その変更後のシャッタ速度が所定値を下回らないように制限」する点で一致する。
　
（５）上記（１）ないし（４）からみて、本願発明と引用発明とは、
「撮影の際の適正露出を測定する適正露出測定ステップと、
　ストロボ撮影を行う場合は前記適正露出測定ステップにより測定した適正露出よりマイナス側の露出補正を行なう露出補正ステップと、を含み、
　前記露出補正ステップはシャッタ速度を変更することによって成され、その変更後のシャッタ速度が所定値を下回らないように制限するストロボ付き撮像装置の露出制御方法。」の点で一致し、次の点で相違する。
　
　・相違点１
　前記「マイナス側の露出補正」を、
　本願発明では、ストロボ撮影を行う場合は必ず行なうのに対し、
　引用発明では、ストロボ撮影を行う場合は必ず行なうわけではなく、所定の被写体輝度以下でのみ行なっている点。
　
　・相違点２
　前記「所定値」が、
　本願発明では、１／８秒であるのに対し、
　引用発明では、１秒である点。
　
４　判断
（１）上記相違点１について検討する。
　ア　引用発明は、閃光撮影時、被写体輝度がＢｖ７（Ｅｖ１２）以上では、シャッター速度をＴｖ７（１／１２５秒）に固定し、被写体輝度がＢｖ７より低くなるにしたがってシャッター速度を遅くし、シャッター速度が手ブレを防止できる限界のシャッター速度、例えばＴｖ５（１／３０秒）になるまでは、被写体輝度の低下に応じてシャッター速度を遅くし、シャッター速度が手ブレを防止できる限界値Ｔｖ５（１／３０秒）に達したら、それ以上は被写体輝度の低下に応じてシャッター速度を遅くせず、シャッター速度をＴｖ５（１／３０秒）に固定し、被写体輝度がＢｖ３以下では、被写体輝度の低下に応じてふたたびシャッター速度を低下させ、これにより、１／３０秒という手ブレを防止できる限界のシャッター速度では適正な露出をしようとするものであり、夜景などの背景を写し込もうとして、１／３０秒よりも遅いシャッター速度を用いたスローシンクロ撮影では、手ブレのために人物や背景の像が流れるため、夜景などの背景を写し込みつつ、手ブレを防止しようとするために、１／３０秒よりも遅いシャッター速度とする際にも適正露出よりも例えば２Ｅｖだけ露出不足となる高速のシャッター速度としているものである。
　要するに、引用発明は、シャッター速度を１／３０秒と固定することでアンダーとさせているものの、被写体輝度がＢｖ３以下の場合では、適正露出よりもアンダーとなりすぎてしまうので、比較的手ブレが生じてしまうとする１／３０秒よりも低速のシャッター速度ではあるが高速なシャッター速度とすることでマイナス側の露出補正を行なうものである。引用例には、適正露出より露出不足となる高速なシャッター速度で撮影を行うので、手ブレによる夜景の像の流れも従来のスローシンクロ撮影時の１／４の大きさに縮小されること（【００２１】）が記載されており、引用発明は、必要な被写体輝度でのみ、マイナス側の露出補正を必要最低限行なっているといえる。
　してみると、引用発明において、シャッター速度が手ブレを防止できる限界のシャッター速度であるＴｖ５（１／３０秒）以上においては、手ブレを特段防ぐような配慮をする必要は無いものの、フラッシュ撮影において背景の写り込みを積極的にさせたり或いは露出制御をシンプルにするために、シャッター速度が所定値以上か否かの区別なくマイナス側の露出補正を行なうようになすこと、すなわち、ストロボ撮影を行う場合はマイナス側の露出補正を必ず行なうようになすことは、当業者が適宜なし得る設計事項程度のことにすぎないから、引用発明において、上記相違点１に係る本願発明の構成となすことは当業者が適宜なし得たことである。
　
　イ　なお、本願明細書の発明の詳細な説明の【００２４】〜【００２７】には、「変更後のシャッター速度が１／８秒を下回らない」という本願発明の発明特定事項を具備する「オートストロボ撮影処理」及び「夜景人物ストロボ撮影処理」が記載されているが、【００２９】や図６に記載された、１／６０秒より高速シャッターの場合にシャッター速度を１／６０秒に制限する「一部改良動作フロー」を実行した図７（Ａ）及び図７（Ｂ）によれば、これらの撮影処理では、適正露出がＥＶ９の場合はシャッター速度を変更しておらず、ストロボ撮影を行なう際に「必ず」シャッター速度を変更するものではないことも記載されているが、シャッター速度の変更を「必ず」する場合と「必ず」しもしない場合のそれぞれのメリット、デメリットについては記載されていない。
　よって、シャッター速度の変更を「必ず」するかどうかに格別の技術的意義は見出せない。
　
（２）上記相違点２について検討する。
　引用例には、被写体輝度がＢｖ３以下の場合に、シャッター速度を手ブレ防止の限界値１／３０秒より更に低くしているが（【００１７】〜【００１９】）、このような低輝度では夜景を背景にしてフラッシュ撮影することが多く、シャッター速度を１／３０秒に固定した場合よりも夜景を鮮明に写し込むことができ、また、適正露出より露出不足となる高速なシャッター速度で撮影を行うので、手ブレによる夜景の像の流れも従来のスローシンクロ撮影時の１／４の大きさに縮小されること（【００２１】）が記載されており、当該記載の目的を達成する限りにおいて、引用発明のシャッター速度の下限値である「１秒」を如何に設定するかは、スローシンクロ撮影時における許容できる画像の質に応じて当業者が適宜決定し得る設計事項程度のことにすぎないから、引用発明において、上記相違点２に係る本願発明の構成となすことは当業者が適宜なし得たことである。
　
（３）本願発明の奏する効果は、引用発明の奏する効果から当業者が予測することができた程度のことである。
　
（４）したがって、本願発明は、当業者が引用例に記載された発明に基づいて容易に発明をすることができたものである。
　
５　むすび
　本願発明は、当業者が引用例に記載された発明に基づいて容易に発明をすることができたものであるから、特許法第２９条第２項の規定により特許を受けることができない。
　よって、結論のとおり審決する。